(57)【要約】【課題】移動局装置が後方互換性のないキャリアを集約して基地局装置と通信を行う場合において、無線リソースを効率的に割り当てる通信システム、基地局装置、移動局装置、無線リソース割り当て方法および集積回路を提供する。【解決手段】移動局装置と基地局装置が、セルの周波数帯域と、セルの周波数帯域を拡張する拡張周波数帯域とを集約して通信を行う通信システムであって、基地局装置は、移動局装置との通信に用いる無線リソースの割り当てを示す無線リソース割り当て情報を拡張周波数帯域が有効となるタイミングで変更して移動局装置に送信し、移動局装置は、拡張周波数帯域が有効となるタイミングで無線リソース割り当て情報が示す無線リソースの割り当てが変更されたと判断して無線リソース割り当て情報を受信する。【選択図】図８
2012209649.tif 000002
【特許請求の範囲】
【請求項１】
移動局装置と基地局装置が、セルの周波数帯域と、前記セルの周波数帯域を拡張する拡張周波数帯域とを集約して通信を行う通信システムであって、
前記基地局装置は、前記移動局装置との通信に用いる無線リソースの割り当てを示す無線リソース割り当て情報を前記拡張周波数帯域が有効となるタイミングで変更して前記移動局装置に送信し、
前記移動局装置は、前記拡張周波数帯域が有効となるタイミングで前記無線リソース割り当て情報が示す無線リソースの割り当てが変更されたと判断して前記無線リソース割り当て情報を受信することを特徴とする通信システム。
【請求項２】
前記移動局装置は、前記セルと異なるセルで前記無線リソースの割り当て情報が送信される場合、前記異なるセルで送信された前記無線リソースの割り当て情報が変更されたと判断して前記無線リソース割り当て情報を受信することを特徴とする請求項１記載の通信システム。
【請求項３】
前記無線リソースの割り当て情報は、前記拡張周波数帯域を活性化してから所定の時間が経過した後に前記拡張周波数帯域に基づいて変更されることを特徴とする請求項１記載の通信システム。
【請求項４】
前記移動局装置は、前記拡張周波数帯域を活性化してから所定の時間が経過した後に前記拡張周波数帯域に基づいて前記無線リソースの割り当て情報の復号化処理を行うことを特徴とする請求項３記載の通信システム。
【請求項５】
前記基地局装置は、前記拡張周波数帯域を活性化してから所定の時間が経過した後に前記拡張周波数帯域に基づいて前記無線リソースの割り当て情報の符号化処理を行うことを特徴とする請求項３記載の通信システム。
【請求項６】
移動局装置と基地局装置が、セルの周波数帯域と、前記セルの周波数帯域を拡張する拡張周波数帯域とを集約して通信を行う通信システムの基地局装置であって、
前記移動局装置との通信に用いる無線リソースの割り当てを示す無線リソース割り当て情報を前記拡張周波数帯域が有効となるタイミングで変更して前記移動局装置に送信することを特徴とする基地局装置。
【請求項７】
前記基地局装置は、前記セルと異なるセルで前記無線リソースの割り当て情報を送信する場合、前記異なるセルで送信する前記無線リソースの割り当て情報を変更して前記無線リソース割り当て情報を送信することを特徴とする請求項６記載の基地局装置。
【請求項８】
前記無線リソースの割り当て情報は、前記拡張周波数帯域を活性化してから所定の時間が経過した後に前記拡張周波数帯域に基づいて変更することを特徴とする請求項６記載の基地局装置。
【請求項９】
前記拡張周波数帯域を活性化してから所定の時間が経過した後に前記拡張周波数帯域に基づいて前記無線リソースの割り当て情報の符号化処理を行うことを特徴とする請求項８記載の基地局装置。
【請求項１０】
移動局装置と基地局装置が、セルの周波数帯域と、前記セルの周波数帯域を拡張する拡張周波数帯域とを集約して通信を行う通信システムの移動局装置であって、
前記拡張周波数帯域が有効となるタイミングで無線リソース割り当て情報が示す無線リソースの割り当てが変更されたと判断して前記無線リソース割り当て情報を受信することを特徴とする移動局装置。
【請求項１１】
前記セルと異なるセルで前記無線リソースの割り当て情報が送信される場合、前記異なるセルで送信された前記無線リソースの割り当て情報が変更されたと判断して前記無線リソース割り当て情報を受信することを特徴とする請求項１０記載の移動局装置。
【請求項１２】
前記無線リソースの割り当て情報は、前記拡張周波数帯域を活性化してから所定の時間が経過した後に前記拡張周波数帯域に基づいて変更されたと判断することを特徴とする請求項１０記載の移動局装置。
【請求項１３】
前記拡張周波数帯域を活性化してから所定の時間が経過した後に前記拡張周波数帯域に基づいて前記無線リソースの割り当て情報の復号化処理を行うことを特徴とする請求項１２記載の移動局装置。
【請求項１４】
移動局装置と基地局装置が、セルの周波数帯域と、前記セルの周波数帯域を拡張する拡張周波数帯域とを集約して通信を行う通信システムにおける無線リソース割り当て方法であって、
前記基地局装置は、前記移動局装置との通信に用いる無線リソースの割り当てを示す無線リソース割り当て情報を前記拡張周波数帯域が有効となるタイミングで変更して前記移動局装置に送信するステップと、
前記移動局装置は、前記拡張周波数帯域が有効となるタイミングで前記無線リソース割り当て情報が示す無線リソースの割り当てが変更されたと判断して前記無線リソース割り当て情報を受信するステップを含むことを特徴とする無線リソース割り当て方法。
【請求項１５】
移動局装置と基地局装置が、セルの周波数帯域と、前記セルの周波数帯域を拡張する拡張周波数帯域とを集約して通信を行う通信システムにおける移動局装置の集積回路であって、
前記拡張周波数帯域が有効となるタイミングで前記無線リソース割り当て情報が示す無線リソースの割り当てが変更されたと判断して前記無線リソース割り当て情報を受信することを特徴とする集積回路。
【発明の詳細な説明】
【技術分野】
【０００１】
本発明は、無線リソースを効率的に割り当てる通信システム、基地局装置、移動局装置、無線リソース割り当て方法および集積回路に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。
【０００３】
また、３ＧＰＰでは、より高速なデータ伝送を実現し、ＥＵＴＲＡの上位互換性を持つＡｄｖａｎｃｅｄ  ＥＵＴＲＡの議論を行っている。Ａｄｖａｎｃｅｄ  ＥＵＴＲＡにおける技術として、キャリア・アグリゲーション（Ｃａｒｒｉｅｒ  Ａｇｇｒｅｇａｔｉｏｎ）が提案されている。キャリア・アグリゲーションとは、複数の異なる周波数（キャリア）の周波数帯域（コンポーネントキャリア（Ｃｏｍｐｏｎｅｎｔ  Ｃａｒｒｉｅｒ）とも称する）を集約して使用することによって伝送レートを向上させる技術である。また、キャリア・アグリゲーションを用いる場合の一例として、後方互換性のないキャリア（キャリアセグメント（Carrier Segment）、またはエクステンションキャリア（Extension Carrier））を集約する方法についても議論がなされた（非特許文献１、非特許文献２）。
【０００４】
キャリアセグメントとは、使用中のセルのシステム帯域幅（連続するリソースブロックの総数）を拡張するために用いる追加のキャリア（周波数帯域、リソースブロック）である。キャリアセグメントを用いることで、移動局装置が使用している周波数帯域の中心周波数を変更せずに、帯域幅だけを拡張させることが可能となる。例えば、１０ＭＨｚの周波数帯域幅を使用している移動局装置に対し、５ＭＨｚのキャリアセグメントを両周波数端に追加することで、移動局装置は２０ＭＨｚ（５ＭＨｚ＋１０ＭＨｚ＋５ＭＨｚ）の周波数帯域幅で通信を行うことが可能となる。キャリアセグメントは、セグメントキャリア、セグメントセル、セルセグメント、部分周波数とも称される。
【０００５】
エクステンションキャリアとは、使用中のセルのシステム帯域幅とは別の追加のキャリア（周波数帯域、リソースブロック）である。エクステンションキャリアを用いることで、移動局装置が使用している周波数帯域に影響を与えずに帯域幅を拡張させることが可能となる。例えば、１０ＭＨｚの周波数帯域幅を使用している移動局装置に対し、５ＭＨｚのエクステンションキャリアを追加することで、移動局装置は１５ＭＨｚ（１０ＭＨｚ＋５ＭＨｚ）の周波数帯域幅で通信を行うことが可能となる。エクステンションキャリアは、拡張セルとも称される。
【０００６】
キャリアセグメントやエクステンションキャリアといった後方互換性（下位互換性）のないキャリア（Non-backward compatible carrier、以降、非互換キャリアと称する）と、通常のキャリア（コンポーネントキャリア）との大きな違いは、非互換キャリアでは、基地局装置が同期シグナルおよび物理報知情報チャネルが送信しないように構成できることである。同様に、非互換キャリアでは、基地局装置は物理下りリンク制御チャネルや下りリンクリファレンスシグナルを送信しないように構成できる（物理チャネルの詳細については後述する）。さらに、非互換キャリアでは、基地局装置はページングメッセージを送信しないように構成できる。
【０００７】
特許文献１には、非互換キャリアを適用した場合の制御として、物理下りリンク制御チャネルを用いた無線リソースの割り当て方法として、非互換キャリアを適用したことで拡張された帯域幅をパラメータとして用いる方法が開示されている。
【先行技術文献】
【特許文献】
【０００８】
【特許文献１】ＷＯ２０１０／０４９７５４  Ａ１、ＮＯＫＩＡ  ＣＯＲＰＯＲＡＴＩＯＮ、２００８．１０．２８
【非特許文献】
【０００９】
【非特許文献１】Ｒ１−１００８１３、Ａｌｃａｔｅｌ−Ｌｕｃｅｎｔ、３ＧＰＰ  ＴＳＧ−ＲＡＮ  ＷＧ１＃５９ｂｉｓ、１８−２２  Ｊａｎｕａｒｙ  ２０１０、Ｖａｌｅｎｃｉａ、Ｓｐａｉｎ
【非特許文献２】Ｒ１−１００８０９、Ｈｕａｗｅｉ、３ＧＰＰ  ＴＳＧ−ＲＡＮ  ＷＧ１＃５９ｂｉｓ、１８−２２  Ｊａｎｕａｒｙ  ２０１０、Ｖａｌｅｎｃｉａ、Ｓｐａｉｎ
【発明の概要】
【発明が解決しようとする課題】
【００１０】
しかしながら、非特許文献１や非特許文献２で示される非互換キャリアをＥＵＴＲＡにおいて使用する場合、移動局装置に対して非互換キャリアの設定を適切に行うかについて、その方法について何ら示されていない。
【００１１】
例えば、非互換キャリアを設定された移動局装置が、どのタイミングで非互換キャリアの無線リソース割り当てが有効になるのかが決まっていなければ、移動局装置と基地局装置との間に通信状態の不一致が生じるために正しく通信を行なえない区間が発生し、無線リソースの利用効率が悪くなるという問題が発生する。
【００１２】
特許文献１には、非互換キャリアを適用することによって拡張された帯域幅を示すパラメータを、従来の帯域幅を示すパラメータに置き換えることで無線リソース割り当てを行う方法が開示されている。しかしながら、特許文献１の方法は、拡張された帯域幅を示すパラメータを用いた無線リソース割り当てが実施されるタイミングについて示されておらず、移動局装置と基地局装置との間に通信状態の不一致が生じるために正しく通信を行なえない区間が発生するという問題を解決することができない。
【００１３】
上記の課題を鑑みて、本発明の目的は、移動局装置が後方互換性のないキャリアを集約して基地局装置と通信を行う場合において、無線リソースを効率的に割り当てる通信システム、基地局装置、移動局装置、無線リソース割り当て方法および集積回路を提供することを目的とする。
【課題を解決するための手段】
【００１４】
上記の目的を達成するために、本発明は以下のような手段を講じた。すなわち、基地局装置と移動局装置は、物理下りリンク制御チャネルに含まれる無線リソース割り当て情報で用いるシステム帯域幅を、キャリアセグメントが利用可能となる設定されたタイミングに応じて通常帯域幅か拡張周波数帯域幅のいずれか一方を用いるように解釈を適宜変更して動作することを特徴とする。
【００１５】
（１）すなわち、本願の通信システムは、移動局装置と基地局装置が、セルの周波数帯域と、前記セルの周波数帯域を拡張する拡張周波数帯域とを集約して通信を行う通信システムであって、前記基地局装置は、前記移動局装置との通信に用いる無線リソースの割り当てを示す無線リソース割り当て情報を前記拡張周波数帯域が有効となるタイミングで変更して前記移動局装置に送信し、前記移動局装置は、前記拡張周波数帯域が有効となるタイミングで前記無線リソース割り当て情報が示す無線リソースの割り当てが変更されたと判断して前記無線リソース割り当て情報を受信することを特徴とする。
【００１６】
（２）また、本願の通信システムにおいて、前記移動局装置は、前記セルと異なるセルで前記無線リソースの割り当て情報が送信される場合、前記異なるセルで送信された前記無線リソースの割り当て情報が変更されたと判断して前記無線リソース割り当て情報を受信することを特徴とする。
【００１７】
（３）また、本願の通信システムにおいて、前記無線リソースの割り当て情報は、前記拡張周波数帯域を活性化してから所定の時間が経過した後に前記拡張周波数帯域に基づいて変更されることを特徴とする。
【００１８】
（４）また、本願の通信システムにおいて、前記移動局装置は、前記拡張周波数帯域を活性化してから所定の時間が経過した後に前記拡張周波数帯域に基づいて前記無線リソースの割り当て情報の復号化処理を行うことを特徴とする。
【００１９】
（５）また、本願の通信システムにおいて、前記基地局装置は、前記拡張周波数帯域を活性化してから所定の時間が経過した後に前記拡張周波数帯域に基づいて前記無線リソースの割り当て情報の符号化処理を行うことを特徴とする。
【００２０】
（６）また、本願の基地局装置は、移動局装置と基地局装置が、セルの周波数帯域と、前記セルの周波数帯域を拡張する拡張周波数帯域とを集約して通信を行う通信システムの基地局装置であって、前記移動局装置との通信に用いる無線リソースの割り当てを示す無線リソース割り当て情報を前記拡張周波数帯域が有効となるタイミングで変更して前記移動局装置に送信することを特徴とする。
【００２１】
（７）また、本願の基地局装置は、前記セルと異なるセルで前記無線リソースの割り当て情報を送信する場合、前記異なるセルで送信する前記無線リソースの割り当て情報を変更して前記無線リソース割り当て情報を送信することを特徴とする。
【００２２】
（８）また、本願の基地局装置において、前記無線リソースの割り当て情報は、前記拡張周波数帯域を活性化してから所定の時間が経過した後に前記拡張周波数帯域に基づいて変更することを特徴とする。
【００２３】
（９）また、本願の基地局装置は、前記拡張周波数帯域を活性化してから所定の時間が経過した後に前記拡張周波数帯域に基づいて前記無線リソースの割り当て情報の符号化処理を行うことを特徴とする。
【００２４】
（１０）また、本願の移動局装置は、移動局装置と基地局装置が、セルの周波数帯域と、前記セルの周波数帯域を拡張する拡張周波数帯域とを集約して通信を行う通信システムの移動局装置であって、前記拡張周波数帯域が有効となるタイミングで無線リソース割り当て情報が示す無線リソースの割り当てが変更されたと判断して前記無線リソース割り当て情報を受信することを特徴とする。
【００２５】
（１１）また、本願の移動局装置は、前記セルと異なるセルで前記無線リソースの割り当て情報が送信される場合、前記異なるセルで送信された前記無線リソースの割り当て情報が変更されたと判断して前記無線リソース割り当て情報を受信することを特徴とする。
【００２６】
（１２）また、本願の移動局装置において、前記無線リソースの割り当て情報は、前記拡張周波数帯域を活性化してから所定の時間が経過した後に前記拡張周波数帯域に基づいて変更されたと判断することを特徴とする。
【００２７】
（１３）また、本願の移動局装置は、前記拡張周波数帯域を活性化してから所定の時間が経過した後に前記拡張周波数帯域に基づいて前記無線リソースの割り当て情報の復号化処理を行うことを特徴とする。
【００２８】
（１４）また、本願の無線リソース割り当て方法は、移動局装置と基地局装置が、セルの周波数帯域と、前記セルの周波数帯域を拡張する拡張周波数帯域とを集約して通信を行う通信システムにおける無線リソース割り当て方法であって、前記基地局装置は、前記移動局装置との通信に用いる無線リソースの割り当てを示す無線リソース割り当て情報を前記拡張周波数帯域が有効となるタイミングで変更して前記移動局装置に送信するステップと、前記移動局装置は、前記拡張周波数帯域が有効となるタイミングで前記無線リソース割り当て情報が示す無線リソースの割り当てが変更されたと判断して前記無線リソース割り当て情報を受信するステップを含むことを特徴とする。
【００２９】
（１５）また、本願の移動局装置の集積回路は、移動局装置と基地局装置が、セルの周波数帯域と、前記セルの周波数帯域を拡張する拡張周波数帯域とを集約して通信を行う通信システムにおける移動局装置の集積回路であって、前記拡張周波数帯域が有効となるタイミングで前記無線リソース割り当て情報が示す無線リソースの割り当てが変更されたと判断して前記無線リソース割り当て情報を受信することを特徴とする。
【００３０】
本明細書では、移動局装置と基地局装置が複数の周波数を用いて接続される場合における通信システム、基地局装置、移動局装置および無線リソースの管理方法の改良という点において本発明を開示するが、本発明が適用可能な通信方式は、ＥＵＴＲＡまたはＡｄｖａｎｃｅｄ  ＥＵＴＲＡのようにＥＵＴＲＡと上位互換性のある通信方式に限定されるものではない。例えば、本発明はＵＭＴＳ（Universal Mobile Telecommunications System）にも適用することができる。
【発明の効果】
【００３１】
以上説明したように、本発明によれば、移動局装置が後方互換性のないキャリアを集約して基地局装置と通信を行う場合において、無線リソースを効率的に割り当てる通信システム、基地局装置、移動局装置、無線リソース割り当て方法および集積回路を提供することが出来る。
【図面の簡単な説明】
【００３２】
【図１】本発明における移動局装置の概略構成を示すブロック図である。
【図２】本発明における基地局装置の概略構成を示すブロック図である。
【図３】本発明における非互換キャリアの設定を追加する手順について説明するためのシーケンスチャート図である。
【図４】本発明における非互換キャリアを活性化する手順について説明するためのシーケンスチャート図である。
【図５】本発明における非互換キャリアを非活性化する手順について説明するためのシーケンスチャート図である。
【図６】本発明における非互換キャリアの設定を削除する手順について説明するためのシーケンスチャート図である。
【図７】第１の実施形態におけるキャリアセグメントの設定パラメータと在圏セルとの関係について説明するための図である。
【図８】第１の実施形態におけるキャリアセグメントを用いた無線リソース割り当て方法の切り替えタイミングについて説明するための図である。
【図９】本発明の実施形態に係る通信ネットワーク構成の一例を示した図である。
【図１０】本発明の実施形態に係る移動局装置に対するコンポーネントキャリアの設定の一例を示した図である。
【図１１】本発明の実施形態に係る移動局装置に対するキャリアセグメントの設定の一例を示した図である。
【発明を実施するための形態】
【００３３】
本発明の実施形態を説明する前に、本発明に関わるキャリア・アグリゲーション、物理チャネル、無線リソース割り当て方法、通信ネットワーク構成などについて簡単に説明する。
【００３４】
[キャリア・アグリゲーション]
キャリア・アグリゲーションとは、複数の異なる周波数（コンポーネントキャリア、または周波数帯域）を集約（アグリゲーション）して一つの周波数（周波数帯域）のように扱う技術である。例えば、キャリア・アグリゲーションによって周波数帯域幅が２０ＭＨｚのコンポーネントキャリアを５つ集約した場合、移動局装置はこれらを一つの１００ＭＨｚの周波数帯域幅とみなしてアクセスすることが可能となる。なお、集約するコンポーネントキャリアは連続した周波数であっても、全てまたは一部が不連続となる周波数であってもよい。例えば、使用可能な周波数が８００ＭＨｚ帯、２．４ＧＨｚ帯、３．４ＧＨｚ帯である場合、ある一つのコンポーネントキャリアが８００ＭＨｚ帯、別のコンポーネントキャリアが２ＧＨｚ帯、さらに別のコンポーネントキャリアが３．４ＧＨｚ帯で送信されていてもよい。
【００３５】
また、同一周波数帯、例えば２．４ＧＨｚ帯内の連続または不連続のコンポーネントキャリアを集約することも可能である。各コンポーネントキャリアの周波数帯域幅は２０ＭＨｚより狭い周波数帯域幅であっても良く、各々周波数帯域幅が異なっていても良い。基地局装置は、滞留しているデータバッファ量や移動局装置の受信品質、セル内の負荷やＱｏＳなどの種々の要因に基づいて、移動局装置に割り当てる上りリンクまたは下りリンクのコンポーネントキャリアの数を増減することができる。なお、基地局装置が割り当てる上りリンクコンポーネントキャリアの数は、下りリンクコンポーネントキャリアの数と同じか少ないことが望ましい。
【００３６】
また、基地局装置は、１つの下りリンクのコンポーネントキャリアと１つの上りリンクのコンポーネントキャリアを組み合わせて１つのセルを構成する。なお、基地局装置は、１つの下りリンクコンポーネントキャリアのみを用いて（すなわち、上りリンクコンポーネントキャリアの割り当てがない）１つのセルを構成することもできる。
【００３７】
また、移動局装置は、キャリア・アグリゲーションによって、キャリアセグメントまたはエクステンションキャリアといった非互換キャリアを一つのコンポーネントキャリアに対して集約して使用することができる。非互換キャリアとコンポーネントキャリアとは、連続した周波数である必要はなく、コンポーネントキャリアと異なる周波数の非互換キャリアとを集約することも可能である。非互換キャリアの周波数帯域幅は、コンポーネントキャリアに設定可能な周波数帯域幅と同じであることが好適であるが、任意の周波数帯域であっても構わない。
【００３８】
[物理チャネル]
ＥＵＴＲＡおよびＡｄｖａｎｃｅｄ  ＥＵＴＲＡで使用される主な物理チャネル（または物理シグナル）について説明を行なう。チャネルとは信号の送信に用いられる媒体を意味し、物理チャネルとは信号の送信に用いられる物理的な媒体を意味する。物理チャネルは、ＥＵＴＲＡ、およびＡｄｖａｎｃｅｄ  ＥＵＴＲＡにおいて、今後追加、または、その構造が変更される可能性もあるが、変更された場合でも本発明の各実施形態の説明には影響しない。
【００３９】
ＥＵＴＲＡおよびＡｄｖａｎｃｅｄ  ＥＵＴＲＡでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。１サブキャリアは１５ｋＨｚであり、１リソースブロックは１８０ｋＨｚである。周波数帯域幅は、連続するリソースブロックを用いても表現することができ、例えば２０ＭＨｚは１１０リソースブロックである。
【００４０】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルＩＤ：Physical Cell Identity; PCI）と、無線同期のためのフレームタイミングが示される。移動局装置は、セルサーチによって受信した同期シグナルのセルＩＤを特定する。
【００４１】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス制御情報などが通知される。
【００４２】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される物理下りリンク制御チャネル、または物理下りリンク共用チャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００４３】
上りリンクリファレンスシグナル（上りリンク参照信号：Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＲＳ：Demodulation Reference Signal）と、基地局装置が、主に、上りリンクのチャネル状態を推定するために使用するサウンディング参照信号（ＳＲＳ：Sounding Reference Signal）が含まれる。
【００４４】
物理下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクアサインメント（または、上りリンクグラント）、受信時には下りリンクアサインメント（または、下りリンクグラント）と呼ばれる無線リソース割り当て情報を物理下りリンク制御チャネルから取得する必要がある。
【００４５】
物理上りリンク制御チャネル（PUCCH; Physical Uplink Control Channel）は、物理下りリンク共用チャネルで送信されたデータの受信確認応答（ＡＣＫ／ＮＡＣＫ：Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路情報（ＣＱＩ：Ｃｈａｎｎｅｌ  Ｑｕａｌｉｔｙ  Ｉｎｄｉｃａｔｏｒ）、上りリンクの無線リソース要求であるスケジューリングリクエスト（ＳＲ：Ｓｃｈｅｄｕｌｉｎｇ  Ｒｅｑｕｅｓｔ）を行なうために使用される。
【００４６】
物理下りリンク共用チャネル（PDSCH; Physical Downlink Shared Channel）は、下りリンクデータの他、下りリンク制御データであるレイヤ３メッセージとしてページングや報知情報を通知するためにも使用される。物理下りリンク共用チャネルの無線リソース割り当て情報（下りリンクアサインメント）は、物理下りリンク制御チャネルで事前に示される。
【００４７】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に物理上りリンク共用チャネルの無線リソース割り当て情報（上りリンクアサインメント）は、物理下りリンク制御チャネルで事前に示される。
【００４８】
物理ランダムアクセスチャネル（PRACH; Physical Random Access Channel）は、プリアンブル系列を通知するために使用されるチャネルであり、ガードタイムを持つ。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（ＴＡ：Ｔｉｍｉｎｇ  Ａｄｖａｎｃｅ）とも呼ばれる）を基地局装置に要求するために物理ランダムアクセスチャネルを用いる。
【００４９】
具体的には、移動局装置は、基地局装置より設定された物理ランダムアクセスチャネル用の無線リソースを用いてプリアンブル系列を送信する。送信タイミング調整情報を受信した移動局装置は、送信タイミング調整情報の有効時間を計時する送信タイミングタイマー（ＴＡ  ｔｉｍｅｒ）を設定し、有効時間中は送信タイミング調整状態、有効期間外は、送信タイミング非調整状態として状態を管理する。なお、それ以外の物理チャネルは、本発明の各実施形態に関わらないため詳細な説明は省略する。
【００５０】
[本発明の通信ネットワーク構成の例]
図９は、本発明の実施形態に係る通信ネットワーク構成の一例を示す図である。移動局装置１は、キャリア・アグリゲーションによって複数の周波数（コンポーネントキャリアまたは非互換キャリア、Band1~Band3）を同時に用いて基地局装置２と無線接続することが可能な場合、通信ネットワーク構成としては、ある一つの基地局装置２が複数の周波数毎に送信装置１１〜１３（および図示しない受信装置２１〜２３）を備えており、各周波数の制御を一つの基地局装置２で行なう構成が制御の簡略化の観点から好適である。基地局装置２の構成は図９に限定されない。ただし、複数の周波数が連続する周波数であるなどの理由で、基地局装置２が一つの送信装置で複数の周波数の送信を行なう構成であっても構わない。さらには、周波数毎に送受信のタイミングが異なるような構成であっても良い。送信装置と受信装置の数や送受信可能な周波数が異なっていてもよい。基地局装置２の送信装置によって制御される各周波数の通信可能範囲はセルとしてみなされる。このとき、各周波数がカバーするエリア（セル）はそれぞれ異なる広さ、異なる形状であっても良い。
【００５１】
ただし、後述する記載において、基地局装置２が構成するコンポーネントキャリアの周波数でカバーされるエリアのことをそれぞれセルと称して説明するが、これは実際に運用される通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。また、従来のセルとは異なる拡張セルとして定義するかもしれない。本発明でコンポーネントキャリアをセルと称することで、実際に運用される通信システムにおけるセルの定義と異なる場合が発生したとしても、本発明の主旨には影響しない。
【００５２】
なお、非互換キャリアではコンポーネントキャリアで送信される一部の信号またはチャネルが存在しないため、非互換キャリアだけではセルを構成できず、通信に使用できない。また、キャリア・アグリゲーションは、複数のコンポーネントキャリアを用いた複数のセルによる通信であり、セルアグリゲーションとも称される。なお、移動局装置１は、周波数毎にリレー局装置（またはリピーター）を介して基地局装置２と無線接続されても良い。すなわち、本発明の基地局装置２は、リレー局装置に置き換えることが出来る。
【００５３】
３ＧＰＰが規定する第３世代の基地局装置２はノードＢ（NodeB）と称され、ＥＵＴＲＡおよびＡｄｖａｎｃｅｄ  ＥＵＴＲＡにおける基地局装置はイーノードＢ（eNodeB）と称される。なお、３ＧＰＰが規定する第３世代の移動局装置１はユーイー（ＵＥ：Ｕｓｅｒ  Ｅｑｕｉｐｍｅｎｔ）と称される。基地局装置２は移動局装置１が通信可能なエリアであるセルを管理し、セルは移動局装置１と通信可能なエリアの大きさに応じてマクロセルやフェムトセルやピコセル、ナノセルとも称される。また、移動局装置１がある基地局装置２と通信可能であるとき、その基地局装置２のセルのうち、移動局装置１との通信に使用しているセルは在圏セル（Serving cell）であり、その他のセルは周辺セル（Neighboring cell）と称される。つまり、キャリア・アグリゲーションを用いて移動局装置１と基地局装置２が複数のセルを用いて通信している場合、在圏セルは複数存在することになる。
【００５４】
[無線リソース割り当て方法]
基地局装置２は、移動局装置１に対して利用可能な無線リソースを通知し、移動局装置１は、当該無線リソースを利用してデータを送信したり、データを受信したりする。この利用可能な無線リソースの割り当て方法は、物理下りリンク制御チャネルＰＤＣＣＨに含まれる無線リソース割り当て情報を用いて移動局装置１に通知される。ＥＵＴＲＡにおける無線リソースの割り当て方法は、基地局装置２のスケジューリングポリシーに応じて以下の代表的な３つの方法が用意されている。
【００５５】
第１の無線リソース割り当て方法は、セル（コンポーネントキャリア）の周波数帯域幅であるシステム帯域幅に基づいて所定数の連続するリソースブロックのグループ（リソースブロックグループ）を作り、使用可能なリソースブロックグループをシステム帯域幅に亘ってそれぞれ１ビットで指定するビットマップ形式の無線リソース割り当て方法である。例えば、セルのシステム帯域幅が５０個のリソースブロックで構成される場合、リソースブロックグループは３個のリソースブロックから構成され、セルのシステム帯域幅が１１０個のリソースブロックで構成される場合、リソースブロックグループは４個のリソースブロックから構成される。
【００５６】
リソースブロックグループに含まれるリソースブロックの数とシステム帯域幅の大きさとの関係は、事前にシステムで一意に決まる値を用いるか、報知情報で通知されるか、Ｌ３メッセージなどの個別メッセージで基地局装置２から移動局装置１へ通知される。
【００５７】
第２の無線リソース割り当て方法は、セル（コンポーネントキャリア）の周波数帯域幅であるシステム帯域幅に基づいて所定数の連続するリソースブロックのグループ（リソースブロックグループ）を作り、更にリソースブロックグループを幾つかのサブセットに分け、サブセットを指定するビットと、サブセット内のリソースブロックを指定する１ビットを組み合わせて指定する無線リソース割り当て方法である。例えば、セルのシステム帯域幅が５０個のリソースブロックで構成される場合、リソースブロックグループは３個のリソースブロックから構成され、各リソースブロックグループは３つのサブセットのいずれかに属するよう順番に割り振られる。一方、セルのシステム帯域幅が１１０個のリソースブロックで構成される場合、リソースブロックグループは４個のリソースブロックから構成され、各リソースブロックグループは４つのサブセットのいずれかに属するよう順番に割り振られる。
【００５８】
リソースブロックグループに含まれるリソースブロックの数とシステム帯域幅の大きさ、サブセットの数との関係は、事前にシステムで一意に決まる値を用いるか、報知情報で通知されるか、Ｌ３メッセージなどの個別メッセージで基地局装置２から移動局装置１へ通知される。
【００５９】
第３の無線リソース割り当て方法は、セル（コンポーネントキャリア）の周波数帯域幅であるシステム帯域幅において、割り当てるリソースブロックの開始位置の番号の情報と、割り当てる連続するリソースブロック数を示す情報とを符号化して指定する無線リソース割り当て方法である。例えば、セルのシステム帯域幅が５０個のリソースブロックで構成される場合、開始位置として＃０〜＃４９が指定され、連続するリソースブロック数はシステム帯域幅を超えないように最小で１から最大で５０までが指定される。
【００６０】
[コンポーネントキャリアの構成の設定例]
図１０は、本発明の実施形態に係る移動局装置１がキャリア・アグリゲーションを行なう場合に、基地局装置２が移動局装置１に対して設定（configure）する下りリンクコンポーネントキャリアと、上りリンクコンポーネントキャリアの対応関係の一例を示した図である。図１０では、２個の下りリンクコンポーネントキャリア（下りリンクコンポーネントキャリアＤＬ＿ＣＣ１、下りリンクコンポーネントキャリアＤＬ＿ＣＣ２）と２個の上りリンクコンポーネントキャリア（上りリンクコンポーネントキャリアＵＬ＿ＣＣ１、上りリンクコンポーネントキャリアＵＬ＿ＣＣ２）の対応関係について示すが、本発明が２個のコンポーネントキャリアの場合に限定されるということではない。図１０中の下りリンクコンポーネントキャリアＤＬ＿ＣＣ１と上りリンクコンポーネントキャリアＵＬ＿ＣＣ１、および下りリンクコンポーネントキャリアＤＬ＿ＣＣ２と上りリンクコンポーネントキャリアＵＬ＿ＣＣ２がセル固有接続（Ｃｅｌｌ  Ｓｐｅｃｉｆｉｃ  Ｌｉｎｋａｇｅ）している。
【００６１】
セル固有接続とは、例えば、移動局装置１がキャリア・アグリゲーションしていない場合に、基地局装置２にアクセス可能な上りリンクと下りリンクの周波数帯域の対応関係（連携関係）であり、典型的には報知情報の一部（ＳＩＢ２：Ｓｙｓｔｅｍ  Ｉｎｆｏｒｍａｔｉｏｎ  Ｂｌｏｃｋ  Ｔｙｐｅ２）でその対応関係が示される。セル固有接続は、ＳＩＢ２  ｌｉｎｋａｇｅとも称される。セルにおける上りリンクと下りリンクの周波数の対応関係は、報知情報に周波数情報として明示的に指示されるか、または明示的に指示されない場合に運用周波数毎に一意に決められる上りリンクと下りリンクの規定の周波数差の情報を用いるなどして暗黙的に指示される。これらの方法に限らず、セル毎に上りリンクと下りリンクの周波数帯域の対応関係を示すことが可能であれば、これ以外の方法を用いて指示されても良い。
【００６２】
これに対し、基地局装置２は、下りリンクコンポーネントキャリアと上りリンクコンポーネントキャリアの対応関係を、セル固有接続とは別に移動局装置１毎に個別に設定（個別接続；ＵＥ  Ｓｐｅｃｉｆｉｃ  Ｌｉｎｋａｇｅ）することも可能である。このとき、個別接続の設定はＲＲＣメッセージで示される。基地局装置２は、物理ランダムアクセスチャネルの送信に必要な設定（コンフィギュレーション）を上りリンクコンポーネントキャリア毎、または上りリンク周波数毎に複数割り当てることも可能である。
【００６３】
[非互換キャリアの構成の設定例]
図１１は、本発明の実施形態に係る移動局装置１がキャリアセグメントを用いたキャリア・アグリゲーションを行なう場合に、基地局装置２が移動局装置１に対して設定するコンポーネントキャリアと、キャリアセグメントとの対応関係の一例を示した図である。なお、キャリアセグメントを用いた、とは、当該キャリアセグメントによって使用可能となる追加の無線リソース（拡張周波数帯域）を用いた通信のことを意味する。図１１では、下りリンクコンポーネントキャリアＤＬ＿ＣＣｎと上りリンクコンポーネントキャリアＵＬ＿ＣＣｎとで構成されるコンポーネントキャリア（セル）に対して、下りリンクセグメントおよび上りリンクセグメントが設定された例を示している。
【００６４】
図中の下りリンクセグメントとして示される部分は、下りリンクコンポーネントキャリアＤＬ＿ＣＣｎに対して拡張されるキャリアセグメントである。また、図中の上りリンクセグメントとして示される部分は、上りリンクコンポーネントキャリアＵＬ＿ＣＣｎに対して拡張されるキャリアセグメントである。図１１の移動局装置１および基地局装置２は、キャリア・アグリゲーションを用いていない場合は、ＤＬ＿ＣＣｎとＵＬ＿ＣＣｎの周波数帯域（通常帯域幅）の範囲で通信を行い、キャリア・アグリゲーションとしてキャリアセグメントを集約して用いる場合は、キャリアセグメントを追加した周波数帯域（拡張周波数帯域幅）の範囲で通信を行う。
【００６５】
なお、基地局装置２は、移動局装置１に対して下りリンクセグメントまたは上りリンクセグメントのどちらか一方のみを設定（追加）することも可能である。また、キャリアセグメントを設定する上りリンクと下りリンクの通常帯域幅はそれぞれ異なっていてもよい。例えば、下りリンクの通常帯域幅が１０ＭＨｚと上りリンクの通常帯域幅が５ＭＨｚのセルに対してキャリアセグメントが設定されてもよい。また、キャリアセグメントを設定した後の上りリンクと下りリンクの拡張周波数帯域の周波数帯域幅（拡張周波数帯域幅）はそれぞれ異なっていてもよい。例えば、拡張後の下りリンクの帯域幅が２０ＭＨｚ、拡張後の上りリンクの帯域幅が１５ＭＨｚであってもよい。ただし、拡張後の周波数帯域幅の上限は、移動局装置１の無線構成を簡略化するために２０ＭＨｚ（１１０リソースブロックに相当）を超えないように制限されることが望ましい。
【００６６】
設定されるキャリアセグメントは、追加する周波数帯域の両端で同じ帯域幅である必要はなく、非対称であっても構わない。すなわち、ＤＬ＿ＣＣｎまたはＵＬ＿ＣＣｎに設定されるキャリアセグメントのうち、低周波数側が５ＭＨｚであって、高周波数側が１０ＭＨｚのキャリアセグメントを設定することも可能である。
【００６７】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判断される場合には、その詳細な説明を省略する。
【００６８】
＜第１の実施形態＞
本発明の第１の実施形態について以下に説明する。本実施形態は、非互換キャリアとしてキャリアセグメントを用いたキャリア・アグリゲーションが設定された場合の無線リソース割り当て方法に関して示す。
【００６９】
図１は、本発明の第１の実施形態による移動局装置１の一例を示すブロック図である。本移動局装置１は、受信部１０１、復調部１０２、復号部１０３、測定処理部１０４、制御部１０５、ランダムアクセス制御部１０６、符号部１０７、変調部１０８、送信部１０９、タイミング管理部１１０、上位レイヤ１１１から構成される。上位レイヤ１１１は、無線リソース制御を執り行うＲＲＣ（Ｒａｄｉｏ  Ｒｅｓｏｕｒｃｅ  Ｃｏｎｔｒｏｌ）を含む。また、ランダムアクセス制御部１０６は、データリンク層を管理するＭＡＣ（Ｍｅｄｉｕｍ  Ａｃｃｅｓｓ  Ｃｏｎｔｒｏｌ）の一部の機能を提供する。
【００７０】
受信に先立ち、上位レイヤ１１１より制御部１０５へ移動局装置制御情報が入力され、受信に関する制御情報が受信制御情報として、受信部１０１、復調部１０２、復号部１０３へ適切に入力される。移動局装置制御情報は、受信制御情報と送信制御情報によって構成される移動局装置１の無線通信制御に必要な情報であり、基地局装置２やシステムパラメータにより設定され、上位レイヤ１１１が必要に応じて制御部１０５へ入力する。受信制御情報は、受信周波数帯域の情報の他に、各チャネルに関する受信タイミング、多重方法、無線リソース配置情報などの情報が含まれている。
【００７１】
受信信号は、受信部１０１において受信される。受信部１０１は、受信制御情報で指定された周波数帯域で信号を受信する。受信された信号は、復調部１０２へと入力される。復調部１０２は、受信信号の復調を行い、復号部１０３へと信号を入力して下りリンクデータと下りリンク制御データとを正しく復号し、復号された各データを上位レイヤへと入力する。測定処理部１０４は、セル（コンポーネントキャリア）毎の下りリンクリファレンスシグナルの受信品質（ＳＩＲ、ＳＩＮＲ、ＲＳＲＰ、ＲＳＲＱ、ＲＳＳＩ、パスロスなど）の測定や、物理下りリンク制御チャネルまたは物理下りリンク共用チャネルの受信誤り率の測定結果に基づいて下りリンク測定情報を生成し、下りリンク測定情報を上位レイヤ１１１へと出力する。下りリンク測定情報は、上位レイヤ１１１において、無線リンク再確立を伴う無線リンク障害（Radio link failure）の検出、および上りリンク送信の停止を伴う無線リンク監視（Radio link monitoring）の実施、セルごとの測定イベントの評価のために用いられる。
【００７２】
また、送信に先立ち、上位レイヤ１１１より制御部１０５へ移動局装置制御情報が入力され、送信に関する制御情報が送信制御情報として、ランダムアクセス制御部１０６、符号部１０７、変調部１０８、送信部１０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。ランダムアクセス制御情報は上位レイヤ１１１からランダムアクセス制御部１０６に入力される。ランダムアクセス制御情報には、プリアンブル情報や物理ランダムアクセスチャネル送信用の無線リソース情報などが含まれる。上位レイヤ１１１は、必要に応じてタイミング管理部１１０へ上りリンク送信タイミングの調整に用いる送信タイミング調整情報と送信タイミングタイマーを設定する。タイミング管理部１１０は、設定された情報に基づき上りリンク送信タイミングの状態（送信タイミング調整状態または送信タイミング非調整状態）を管理する。
【００７３】
符号部１０７には、上位レイヤ１１１より上りリンクデータと上りリンク制御データが入力されるほか、ランダムアクセス制御部１０６から、物理ランダムアクセスチャネルの送信に関するランダムアクセスデータ情報が入力される。符号部１０７は、ランダムアクセスデータ情報に基づき物理ランダムアクセスチャネルで送信されるプリアンブル系列を生成する。また、符号部１０７は送信制御情報に従い、各データを適切に符号化し、変調部に出力する。変調部１０８は、符号部１０７からの出力を変調する。
【００７４】
送信部１０９は、変調部１０８の出力を周波数領域にマッピングすると共に、周波数領域の信号を時間領域の信号へ変換し、既定の周波数の搬送波にのせて電力増幅を行う。さらに、タイミング管理部１１０より入力された送信タイミング調整情報に従って上りリンク送信タイミングを調整して送信する。上りリンク制御データが配置される物理上りリンク共用チャネルは、典型的にはレイヤ３メッセージ（無線リソース制御メッセージ；ＲＲＣメッセージ）を構成する。図１において、その他の移動局装置１の構成要素は本実施の形態に関係ないため省略してある。
【００７５】
図２は、本発明の第１の実施形態による基地局装置２の一例を示すブロック図である。本基地局装置２は、受信部２０１、復調部２０２、復号部２０３、制御部２０４、符号部２０５、変調部２０６、送信部２０７、上位レイヤ２０８、ネットワーク信号送受信部２０９から構成される。
【００７６】
上位レイヤ２０８は、下りリンクデータと下りリンク制御データを符号部へ入力する。符号部２０５は、入力されたデータを符号化し、変調部２０６へ入力する。変調部２０６は、符号化した信号の変調を行なう。また、変調部２０６から出力される信号は送信部２０７に入力される。送信部２０７は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【００７７】
また、受信部２０１は、移動局装置から受信した信号をベースバンドのデジタル信号に変換する。デジタル信号は、復調部２０２へ入力されて復調される。復調部２０２で復調された信号は続いて符号部２０３へ入力されて復号され、正しく復号された上りリンク制御データや上りリンクデータを上位レイヤ２０８へと出力する。これら各ブロックの制御に必要な基地局装置制御情報は、受信制御情報と送信制御情報によって構成される基地局装置２の無線通信制御に必要な情報であり、上位のネットワーク装置（ＭＭＥやゲートウェイ装置）やシステムパラメータにより設定され、上位レイヤ２０８が必要に応じて制御部２０４へ入力する。制御部２０４は、送信に関連する基地局装置制御情報を、送信制御情報として符号部２０５、変調部２０６、送信部２０７の各ブロックに、受信に関連する基地局装置制御情報を、受信制御情報として受信部２０１、復調部２０２、復号部２０３の各ブロックに適切に入力する。基地局装置２のＲＲＣは、上位レイヤ２０８の一部として存在する。
【００７８】
一方、ネットワーク信号送受信部２０９は、基地局装置２間あるいは上位のネットワーク装置と基地局装置２との間の制御メッセージの送信または受信を行なう。図２において、その他の基地局装置２の構成要素は本実施の形態に関係ないため省略してある。
【００７９】
また、本移動局装置１と本基地局装置２が配置される通信システムのネットワーク構成は、図９に示したものと同様のものを適用できる。
【００８０】
本発明における、キャリア・アグリゲーション可能な移動局装置１に設定されているセル（コンポーネントキャリア）は、例えば図１０に示したような２個のセル、つまり２個の下りリンクコンポーネントキャリア（ＤＬ＿ＣＣ１、ＤＬ＿ＣＣ２）と２個の上りリンクコンポーネントキャリア（ＵＬ＿ＣＣ１、ＵＬ＿ＣＣ２）が移動局装置１に設定されている例を想定する。基地局装置２からこれらのコンポーネントキャリアの活性化（ａｃｔｉｖａｔｉｏｎ、アクティベーション）が明示的または暗黙的に指示されている場合、移動局装置１は下りリンク受信と上りリンク送信のために、活性化しているコンポーネントキャリアを使用することができる。一方、基地局装置２からコンポーネントキャリアの非活性化（ｄｅａｃｔｉｖａｔｉｏｎ、ディアクティベーション）が明示的または暗黙的に指示されている場合、移動局装置１は下りリンク受信と上りリンク送信のために、非活性化されたコンポーネントキャリアを使用することはできない。非活性化は、下りリンクと上りリンクとをペアとして管理しても良いし、独立して管理しても良い。
【００８１】
ここで、コンポーネントキャリアの活性化、または非活性化は、レイヤ２の構成タスクで解釈可能なＬ２メッセージ（レイヤ２メッセージ）によって制御されるように構成される。すなわち、物理層（レイヤ１）でデコードされた後にレイヤ２で認識される制御コマンド（活性化コマンド、非活性化コマンド）によって活性化または非活性化が制御される。なお、ＥＵＴＲＡならびにＡｄｖａｎｃｅｄ  ＥＵＴＲＡにおけるＬ２メッセージは、ＭＡＣ層で解釈される制御コマンド（ＭＡＣ制御要素：ＭＡＣ  Ｃｏｎｔｒｏｌ  Ｅｌｅｍｅｎｔ）によって通知される。
【００８２】
スケジューリングリクエストを通知するための物理上りリンク制御チャネルが設定される上りリンクコンポーネントキャリアと、当該上りリンクコンポーネントキャリアとセル固有接続される下りリンクコンポーネントキャリアから構成されるセルは、プライマリセル（Ｐｒｉｍａｒｙ  ｃｅｌｌ）と称される。また、プライマリセル以外のコンポーネントキャリアから構成されるセルは、セカンダリセル（Ｓｅｃｏｎｄａｒｙ  ｃｅｌｌ）と称される。プライマリセルは活性化／非活性化の制御の対象外であるが（つまり必ず活性化しているとみなされる）、セカンダリセルは活性化／非活性化という状態を持ち、これらの状態の変更は、基地局装置２から明示的に指定されるほか、コンポーネントキャリア毎に移動局装置１に設定されるタイマーに基づいて状態が変更される。
【００８３】
また、移動局装置１は、プライマリセルでは、基地局装置２より指定されたパラメータに基づき無線リンク障害の検出を行い、少なくとも活性化されたセカンダリセルでは、同パラメータを用いた無線リンク監視を実施する。
【００８４】
移動局装置１は、非活性化されたコンポーネントキャリア（セカンダリセル）のスケジューリングに用いる物理下りリンク制御チャネルのモニタ、または無線リソース割り当て情報のモニタを停止してよい。また、移動局装置１は、非活性化されたコンポーネントキャリア（セカンダリセル）の上りリンクに関して、サウンディング参照信号の送信を停止してもよい。また、移動局装置１は、非活性化されたコンポーネントキャリア（セカンダリセル）の下りリンクに関して、活性化した状態よりも低いサンプリングレートで測定を実施してもよい。
【００８５】
図３は、第１の実施形態における移動局装置１と基地局装置２とが、キャリア・アグリゲーションによって非互換キャリアを用いた通信を行うための準備として、在圏セル（プライマリセルまたはセカンダリセル）に対して非互換キャリアを追加（設定）する手順について説明するためのシーケンスチャート図である。
【００８６】
本シーケンスチャートは、移動局装置１と基地局装置２との間で１つのセルを用いた接続が確立している状態（コネクティッド状態）から開始される。なお、移動局装置１に１つ以上のセカンダリセルが設定されていても本実施形態には影響しない。基地局装置２は、移動局装置１に対して周辺セルを測定するための測定設定（measurement configuration）を通知し、移動局装置１は測定設定に従って在圏セル（プライマリセル、またはプライマリセルとセカンダリセル）および周辺セルを測定している。
【００８７】
基地局装置２は、移動局装置１から報告された測定結果やバッファ状況報告（バッファステータスレポート）などに基づいて、非互換キャリアを用いたキャリア・アグリゲーションが移動局装置１に対して必要であると判断した場合、一つまたは複数の在圏セルに対して非互換キャリアの追加を指示する非互換キャリア追加メッセージを送信する（ステップＳ１０１）。非互換キャリア追加メッセージは、レイヤ３メッセージ（ＲＲＣメッセージ）で構成されることが望ましい。
【００８８】
非互換キャリア追加メッセージを受信し、非互換キャリアを追加した移動局装置１は、非互換キャリア追加メッセージを正しく受信し、適切に制御を行ったことを基地局装置２に対して通知するため、非互換キャリア追加完了メッセージを生成して基地局装置２へ送信する（ステップＳ１０２）。非互換キャリア追加完了メッセージは、対応する非互換キャリア追加メッセージと同じメッセージＩＤを設定し、レイヤ３メッセージ（ＲＲＣメッセージ）で構成されることが望ましい。
【００８９】
ここで、ステップＳ１０１において、基地局装置２は、非互換キャリア追加メッセージに追加する非互換キャリアに関する設定パラメータ（情報要素）を含めて移動局装置１に送信する。設定パラメータは、（１）リンク先セル情報、（２）非互換キャリアインデックス情報、（３）拡張周波数帯域幅情報、が少なくとも含まれる。
【００９０】
リンク先セル情報とは、具体的には、非互換キャリアを活性化したときに当該非互換キャリアと共に集約して通信を行う対象となるセル（コンポーネントキャリア）を示す識別子であり、例えば、セルＩＤやセルインデックスを使用して当該対象セルが示される。集約されるセルと非互換キャリアとをリンク先セル情報を用いて対応づけることを、セルと非互換キャリアをリンク情報に基づきリンクするとも称する。セルインデックスは、キャリア・アグリゲーションされる在圏セルに対して基地局装置２から移動局装置１に対して指定されるインデックス番号（例えば＃０〜＃７）である。セルＩＤを用いる場合、プライマリセルに対して非互換キャリアが設定される場合は、プライマリセルのセルＩＤ（および必要であれば周波数ＩＤ）がリンク先セル情報として設定される。また、セルインデックスを用いる場合、プライマリセルに対して非互換キャリアが設定される場合は、プライマリセルのセルインデックス番号（例えば＃０）がリンク先セル情報として設定される。一方、セカンダリセルに対して非互換キャリアが設定される場合は、セカンダリセルのセルインデックス番号（例えば＃１〜＃７のいずれか）がリンク先セル情報として設定される。基地局装置２は、リンク先セル情報として互換性のあるセル（在圏セル）のみが指定可能であり、非互換キャリアを指定することはできない。
【００９１】
また、リンク先セル情報は、当該非互換キャリアに対する無線リソース割り当て情報（上りリンクアサインメント、下りリンクアサインメント）が送信されるセルを示す情報であると換言することができる。また、リンク先セル情報は、当該非互換キャリアに対するスケジューリングを行うための物理下りリンク制御チャネルＰＤＣＣＨが送信されるセルを示す情報であると換言することができる。移動局装置１は、リンク先セル情報で示されたセル（セル＃１とする）が他のセル（セル＃２とする）からスケジューリングされるセルであった場合（すなわち、基地局装置２が、セル＃２で送信される無線リソース割り当て情報によってセル＃１をスケジューリングする場合）、セル＃１を集約対象とする非互換キャリアに対する無線リソース割り当て情報が送信されるセルはセル＃２であると判断し、セル＃２で無線リソース割り当て情報の受信を試みる。
【００９２】
非互換キャリアインデックス情報とは、移動局装置１に対して設定された非互換キャリアを示す識別子となるインデックス番号（例えば＃０〜＃７）であり、基地局装置２は、本インデックス番号を非互換キャリアごとに割り振ることによって、追加、削除、変更、活性化および非活性化の対象となる一つまたは複数の非互換キャリアを移動局装置１に対して指定することが可能となる。例えば、キャリアセグメントであればセグメントインデックスが、エクステンションキャリアであればエクステンションインデックスが設定される。非互換キャリアインデックス情報として設定されるインデックス番号は、基地局装置２から移動局装置１に対して非互換キャリアを設定するときに同時に指定され、移動局装置１内部に情報として格納される。
【００９３】
拡張周波数帯域幅情報とは、非互換キャリアをセルに対して追加することによって集約される周波数帯域幅を示す情報である。例えば、非互換キャリア自体の周波数帯域幅を示す情報である。または、非互換キャリアを追加した後の集約された周波数帯域幅（拡張周波数帯域幅）を示す情報である。本願において特に断りのない限り、単に拡張周波数帯域幅と記述して説明する場合、それは非互換キャリアを追加した後の集約された周波数帯域幅（通常のキャリアの周波数帯域幅＋キャリアセグメントの周波数帯域幅）を示す。
【００９４】
移動局装置１は、追加が完了された時点では、当該非互換キャリアを用いた送受信を開始せず、設定のみがされた非活性（ディアクティベーション）の状態としておく。非互換キャリアに対して非活性の状態を用いることによって、基地局装置２は、移動局装置１のトラフィックの状態に応じた自由度の高いスケジュールを行うことが可能となる。
【００９５】
図４は、第１の実施形態における移動局装置１と基地局装置２とが、追加（設定）された非互換キャリアを活性化（アクティベーション）することによって、キャリア・アグリゲーションによって非互換キャリアを用いた通信を行う手順について説明するためのシーケンスチャート図である。本シーケンスチャートは、少なくとも図３で示したように、在圏セルを対象とした非互換キャリアを追加した後に開始される必要がある。
【００９６】
ステップＳ２０１において、移動局装置１に対して追加した非互換キャリアに対する非互換キャリア活性化コマンド（非互換キャリア活性化）が基地局装置２より通知される。非互換キャリア活性化コマンドは、ＭＡＣ制御要素で通知されても良いし、ＲＲＣメッセージや物理下りリンク制御チャネルで通知されても良い。非互換キャリア活性化コマンドを受信した移動局装置１は、キャリア・アグリゲーションによって追加されている非互換キャリアと、コンポーネントキャリア（プライマリセルまたはセカンダリセル）とを集約する。
【００９７】
ここで、ステップＳ２０１において、基地局装置２は、非互換キャリア活性化コマンドに少なくとも活性化する非互換キャリアを指定する情報（非互換キャリアインデックス情報）を含めて移動局装置１に送信する。移動局装置１は、非互換キャリアインデックス情報で指定された非互換キャリアのリンク先情報に基づいて集約の対象となるコンポーネントキャリア（セル）を判断する。そして、移動局装置１は、当該非互換キャリアに設定された拡張周波数帯域幅情報に基づいて、活性化された非互換キャリアと集約の対象となるコンポーネントキャリアとを用いて基地局装置２との通信を開始する。また、基地局装置２は、当該周波数において、活性化した非互換キャリアと集約の対象となるコンポーネントキャリアとを用いたスケジューリングを開始し、移動局装置１との通信を行う。
【００９８】
図５は、第１の実施形態における移動局装置１と基地局装置２とが、追加（設定）された非互換キャリアを非活性化（ディアクティベーション）することによって、非互換キャリアを用いずにコンポーネントキャリアのみで通信を行う手順について説明するためのシーケンスチャート図である。本シーケンスチャートは、少なくとも図４で示したように、プライマリセルを対象とした非互換キャリアを追加し、さらに当該非互換キャリアが活性化された後に開始される必要がある。
【００９９】
ステップＳ３０１において、移動局装置１に対して活性化した非互換キャリアに対する非互換キャリア非活性化コマンド（非互換キャリア非活性化）が基地局装置２より通知される。非互換キャリア非活性化コマンドは、ＭＡＣ制御要素で通知されても良いし、ＲＲＣメッセージや物理下りリンク制御チャネルで通知されても良い。非互換キャリア非活性化コマンドを受信した移動局装置１は、キャリア・アグリゲーションによって追加されている非互換キャリアと、コンポーネントキャリア（プライマリセル）との集約を解除し、非互換キャリアを用いた送受信を停止する。なお、移動局装置１は、コンポーネントキャリア（プライマリセル）を用いた送受信を停止する必要はない。
【０１００】
ここで、ステップＳ３０１において、基地局装置２は、非互換キャリア非活性化コマンドに少なくとも非活性化する非互換キャリアを指定する情報（非互換キャリアインデックス情報）を含めて移動局装置１に送信する。移動局装置１は、非互換キャリアインデックス情報で指定された非互換キャリアのリンク先セル情報に基づいて集約が解除されるコンポーネントキャリア（セル）を判断する。そして、移動局装置１は、当該非互換キャリアが非活性化されたコンポーネントキャリアの周波数帯域幅（通常帯域幅）に基づいて基地局装置２との通信を開始する。また、基地局装置２は、当該周波数において、非活性化した非互換キャリアの集約対象であったコンポーネントキャリアを用いたスケジューリングを開始し、移動局装置１との通信を行う。
【０１０１】
図６は、第１の実施形態における移動局装置１と基地局装置２とが、追加（設定）された非互換キャリアの設定を削除することによって、非互換キャリアを用いずにコンポーネントキャリアのみで通信を行う手順について説明するためのシーケンスチャート図である。本シーケンスチャートは、少なくとも図３で示したように、在圏セル（プライマリセルまたはセカンダリセル）を対象とした非互換キャリアを追加した後に開始される必要がある。
【０１０２】
基地局装置２は、移動局装置１から報告された測定結果やバッファ状況報告（バッファステータスレポート）などに基づいて、非互換キャリアを用いたキャリア・アグリゲーションが移動局装置１に対して不要であると判断した場合、在圏セルに対して非互換キャリアの削除を指示する非互換キャリア削除メッセージを送信する（ステップＳ４０１）。非互換キャリア削除メッセージは、レイヤ３メッセージ（ＲＲＣメッセージ）で構成されることが望ましい。
【０１０３】
非互換キャリア削除メッセージを受信し、追加されていた非互換キャリアを削除した移動局装置１は、非互換キャリア削除メッセージを正しく受信し、適切に制御を行ったことを基地局装置２に対して通知するため、非互換キャリア削除完了メッセージを生成して基地局装置２へ送信する（ステップＳ４０２）。非互換キャリア削除完了メッセージは、対応する非互換キャリア削除メッセージと同じメッセージＩＤを設定し、レイヤ３メッセージ（ＲＲＣメッセージ）で構成されることが望ましい。
【０１０４】
ここで、ステップＳ４０１において、基地局装置２は、非互換キャリア削除メッセージに少なくとも削除する非互換キャリアを指定する情報（非互換キャリアインデックス情報）を含めて移動局装置１に送信する。移動局装置１は、非互換キャリアインデックス情報で指定された非互換キャリアのリンク先セル情報に基づいて集約が解除されるコンポーネントキャリア（セル）を判断する。そして、移動局装置１は、当該非互換キャリアが削除されたコンポーネントキャリアの周波数帯域幅（通常帯域幅）に基づいて基地局装置２との通信を開始する。また、基地局装置２は、当該周波数において、削除した非互換キャリアの集約対象であったコンポーネントキャリアを用いたスケジューリングを開始し、移動局装置１との通信を行う。
【０１０５】
また、基地局装置２が、非互換キャリアが追加（設定）された在圏セルをハンドオーバーなどによって別のセルへと変更した場合、移動局装置１は、変更前の在圏セルに設定されていた非互換キャリアを自動的に削除する。
【０１０６】
なお、以下ではキャリアセグメントを用いる例を中心に具体的な説明を行うが、図３〜図６に示した非互換キャリアの設定に関するシーケンスチャート図の説明は、キャリアセグメントとエクステンションキャリアの両方に適用可能であることに注意する。
【０１０７】
図７を用いて、上述した非互換キャリア、特にキャリアセグメントを追加するための設定パラメータと、既存のコンポーネントキャリア（セル）との対応関係について説明する。
【０１０８】
図７の上段は移動局装置１に設定されている在圏セル（在圏セル１）であり、その周波数帯域幅はＥＵＴＲＡにおける周波数帯域幅（通常帯域幅（例えば５ＭＨｚ））を持つ。また、明示的または暗黙的に設定されるセルインデックスの番号は０番（セルインデックス＃０）であるとする。下段は在圏セル１に対してキャリアセグメント１を集約した図を示し、その設定パラメータは、リンク先セル情報としてセルインデックス＃０、非互換キャリアインデックス情報としてセグメントインデックス＃０、拡張周波数帯域幅情報としてｘＭＨｚが設定されている。在圏セル１とキャリアセグメント１が配置される周波数帯は、互いに干渉しない連続した周波数帯であれば（同じ周波数帯を使用しなければ）どの周波数帯に配置されていてもよい。
【０１０９】
なお、図７では拡張周波数帯域幅情報をキャリア・アグリゲーションによって集約した後の周波数帯域幅を示す場合を例示しているが、上述したように、キャリアセグメント自体の周波数帯域幅を示すように構成されていてもよい。
【０１１０】
このとき、基地局装置２は、移動局装置１に対してキャリアセグメント１を設定する。移動局装置１は、キャリアセグメント１のリンク先セル情報に基づいてキャリアセグメントが追加されるセルを確認する。図７の例では、キャリアセグメント１のリンク先セルは在圏セル１である。基地局装置２は、キャリアセグメントを活性化させる場合に、活性化コマンドにセグメントインデックス番号を指定して移動局装置１へ通知する。例えば、キャリアセグメント１を活性化させる場合、基地局装置２は、セグメントインデックス＃０を移動局装置１に通知する。
【０１１１】
キャリアセグメントの活性化が指示された場合、移動局装置１は、セグメントインデックスで指定されたキャリアセグメントの拡張周波数帯域幅情報に基づいて周波数帯域幅を拡張し、通信を行う。図７の例では、キャリアセグメント１が活性化された場合、在圏セル１とキャリアセグメント１とを集約した拡張周波数帯域幅１（ｘＭＨｚ）で通信を開始する。このように、基地局装置２から移動局装置１へ通知する情報量は、最初の設定パラメータを通知する以外はセグメントインデックスを用いることによって最小限にすることができる。なお、セグメントインデックスは、キャリアセグメントの活性化以外に、キャリアセグメントの非活性化、キャリアセグメントの削除と変更にも用いられる。
【０１１２】
上述した非互換キャリア追加メッセージと非互換キャリア追加完了メッセージ、および非互換キャリア削除メッセージと非互換キャリア削除完了メッセージは、それぞれ必要なパラメータを追加することによって、新規のメッセージを用意せずに既存のＲＲＣメッセージを再利用することが可能である。例えば、非互換キャリア追加メッセージと非互換キャリア削除メッセージは、ＲＲＣ  Ｃｏｎｎｅｃｔｉｏｎ  Ｒｅｃｏｎｆｉｇｕｒａｔｉｏｎメッセージ、非互換キャリア追加完了メッセージと非互換キャリア削除完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージをそれぞれ再利用することができる。
【０１１３】
図８を用いて、キャリアセグメントが設定された移動局装置１がキャリアセグメントを用いた無線リソース割り当てを適用するタイミングについて説明する。図８の横軸は時間の経緯を示す。図８は、移動局装置１が基地局装置２から少なくとも一つ以上の不活性化されたキャリアセグメントが設定されている状態から開始される。このような状態は、典型的には新規にキャリアセグメントが追加された後、またはハンドオーバー実施後の状態とみなすことができる。
【０１１４】
時刻Ｔ０１は、移動局装置１が不活性化されている（不活性化状態）のキャリアセグメントに対して活性化コマンドを受信したことを示す。活性化コマンドは、従来通りＭＡＣ制御要素で通知されても良いし、ＲＲＣメッセージや物理下りリンク制御チャネルで通知されても良い。基地局装置２は、上述したように活性化するキャリアセグメントのインデックス番号（非互換キャリアインデックス情報）を含めて移動局装置１へ活性化コマンドを送信する。
【０１１５】
このとき、移動局装置１は、当該キャリアセグメントの活性化に伴う必要な設定を適用するための処理時間が必要である。移動局装置１は、この処理時間に用いる遅延時間ｎ１（システムで一意に決まる時間（例えば８サブフレーム））が経過した時刻Ｔ０２において、実際にキャリアセグメントが活性化したとみなす。また、時刻Ｔ０２は、当該キャリアセグメントを用いた無線リソース割り当てが適用されるタイミングと一致している。
【０１１６】
移動局装置１は、時刻Ｔ０２から時刻Ｔ０３までのいずれかのタイミングで自局宛の物理下りリンク制御チャネルＰＤＣＣＨを受信し、当該物理下りリンク制御チャネルＰＤＣＣＨから無線リソース割り当て情報（下りリンクアサインメント、上りリンクアサイメント）を取得した場合、キャリアセグメントを集約した拡張周波数帯域幅に基づく無線リソース割り当てを行う。具体的には、移動局装置１は、時刻Ｔ０２以降に受信した物理下りリンク制御チャネルＰＤＣＣＨに含まれる無線リソース割り当て情報で指定されるリソースブロックの位置を、通常帯域幅ではなく拡張周波数帯域幅に基づいて指定されているものとして解釈する。換言すると、時刻Ｔ０２から時刻Ｔ０３までの間、移動局装置１は通常帯域幅に替えて拡張周波数帯域幅をシステム帯域幅として用いて無線リソース割り当て情報を解釈する。
【０１１７】
すなわち、第１の無線リソース割り当て方法の場合、基地局装置２は、リソースブロックグループに含めるリソースブロック数を拡張周波数帯域幅に基づいて決定し、移動局装置１は、リソースブロックグループに含まれるリソースブロック数を拡張周波数帯域幅に基づいて求める。
【０１１８】
第２の無線リソース割り当て方法の場合、基地局装置２は、リソースブロックグループに含むリソースブロック数を拡張周波数帯域幅に基づいて決定し、移動局装置１は、リソースブロックグループに含まれるリソースブロック数を拡張周波数帯域幅に基づいて求める。また、基地局装置２は、リソースブロックグループが属するサブセットを拡張周波数帯域幅に基づいて決定し、移動局装置１は、リソースブロックグループが属するサブセットを拡張周波数帯域幅に基づいて求める。
【０１１９】
第３の無線リソース割り当て方法の場合、基地局装置２は、割り当てるリソースブロックの開始位置の番号を拡張周波数帯域幅に基づいて決定し、移動局装置１は、割り当てられるリソースブロックの開始位置の番号を拡張周波数帯域幅に基づいて求める。また、基地局装置２は、割り当てる連続するリソースブロック数を拡張周波数帯域幅に基づいて決定し、移動局装置１は、割り当てられる連続するリソースブロック数を拡張周波数帯域幅に基づいて求める。
【０１２０】
上述した無線リソース割り当て方法に共通して、システム帯域幅が変更されたため、物理下りリンク制御チャネルＰＤＣＣＨに含まれる無線リソース割り当て情報の情報サイズ（ビット数）が変更される場合があることを考慮する。具体的には、基地局装置２は、キャリアセグメントの活性化によってシステム帯域幅が変更されたことで、無線リソース割り当て情報の情報サイズ（ビット数）が異なると判断した場合は、物理下りリンク制御チャネルＰＤＣＣＨの符号化処理を変更後のシステム帯域幅に応じて適切に行う必要があることに注意する。同様に、移動局装置１は、キャリアセグメントの活性化によってシステム帯域幅が変更されたことで、無線リソース割り当て情報の情報サイズ（ビット数）が異なると判断した場合は、物理下りリンク制御チャネルＰＤＣＣＨの復号化処理を変更後のシステム帯域幅に応じて適切に行う必要があることに注意する。
【０１２１】
なお、基地局装置２は、在圏セル１とキャリアセグメント１とを集約した拡張周波数帯域幅１に対する無線リソース割り当て情報を、別の在圏セルで送信される物理下りリンク制御チャネルＰＤＣＣＨに含めることも可能である。移動局装置１は、在圏セル１とキャリアセグメント１とを集約した拡張周波数帯域幅１に対する無線リソース割り当て情報を、別の在圏セルで送信された物理下りリンク制御チャネルＰＤＣＣＨから取得することも可能である。すなわち、キャリアセグメントの活性化によってシステム帯域幅が変更された場合、当該システム帯域幅に応じて解釈が変更される無線リソース割り当て情報は、リンク先セル情報で示された在圏セルで送信される物理下りリンク制御チャネルＰＤＣＣＨの無線リソース割り当て情報である。
【０１２２】
図８に戻り、時刻Ｔ０３は、移動局装置１が活性化されている（活性化状態）のキャリアセグメントに対して非活性化コマンドを受信したことを示す。非活性化コマンドは、従来通りＭＡＣ制御要素で通知されても良いし、ＲＲＣメッセージや物理下りリンク制御チャネルで通知されても良い。基地局装置２は、上述したように非活性化するキャリアセグメントのインデックス番号（非互換キャリアインデックス情報）を含めて移動局装置１へ非活性化コマンドを送信する。
【０１２３】
このとき、移動局装置１は、当該キャリアセグメントの非活性化に伴う必要な設定を適用するための処理時間が必要である。移動局装置１は、この処理時間に用いる遅延時間ｎ２（システムで一意に決まる時間（例えば４サブフレーム））が経過した時刻Ｔ０４において、実際にキャリアセグメントが非活性化したとみなす。また、時刻Ｔ０４は、当該キャリアセグメントを用いた無線リソース割り当ての適用が解除されるタイミングと一致している。なお、時刻Ｔ０４は、当該キャリアセグメントの削除が通知されるタイミングとみなしてもよい。
【０１２４】
移動局装置１は、時刻Ｔ０４以降のいずれかのタイミングで物理下りリンク制御チャネルＰＤＣＣＨを受信し、当該物理下りリンク制御チャネルＰＤＣＣＨから無線リソース割り当て情報（下りリンクアサインメント、上りリンクアサイメント）を取得した場合、キャリアセグメントを集約していない在圏セルの通常帯域幅に基づく無線リソース割り当てを行う。具体的には、移動局装置１は、時刻Ｔ０４以降に受信した物理下りリンク制御チャネルＰＤＣＣＨに含まれる無線リソース割り当て情報で指定されるリソースブロックの位置を、拡張周波数帯域幅ではなく通常帯域幅に基づいて指定されているものとして解釈する。換言すると、時刻Ｔ０４以降では、移動局装置１は拡張周波数帯域幅に替えて通常帯域幅をシステム帯域幅として用いて無線リソース割り当て情報を解釈する（移動局装置１の無線リソース割り当て情報の解釈は、キャリアセグメントを集約していない時刻Ｔ０１以前の状態に戻ることになる）。
【０１２５】
ここで、時刻Ｔ０３から時刻Ｔ０４までの間の無線リソース割り当て情報の解釈に用いるシステム帯域幅は、拡張周波数帯域幅を用いてもよいし、通常帯域幅を用いてもよい。
【０１２６】
このように、第１の実施形態によれば、基地局装置２は、移動局装置１に非互換キャリアであるキャリアセグメントを在圏セルに対して設定する場合において、キャリアセグメントを使用するために必要となる設定パラメータとして、リンク先セル情報、非互換キャリアインデックス情報および拡張周波数帯域幅情報を移動局装置１に通知する。また、移動局装置１と基地局装置２は、キャリアセグメントで示される無線リソースを使用する場合に、当該キャリアセグメントを活性化して一定時間経過した後から物理下りリンク制御チャネルで通知される無線リソース割り当てに使用される情報の解釈を変更する。また、移動局装置１と基地局装置２は、キャリアセグメントで示される無線リソースを使用しない場合に、当該キャリアセグメントを非活性化または削除して一定時間経過した後から物理下りリンク制御チャネルで通知される無線リソース割り当てに使用される情報の解釈を変更する。
【０１２７】
以上のように、本実施形態に開示の方法を用いることによって、どのタイミングで非互換キャリアの無線リソース割り当てが有効になるのかが決まっておらず、移動局装置１と基地局装置２との間に通信状態の不一致が生じるために正しく通信を行なえない区間が発生するという問題を解決することができる。すなわち、基地局装置２と移動局装置１は、物理下りリンク制御チャネルＰＤＣＣＨに含まれる無線リソース割り当て情報で用いるシステム帯域幅を、キャリアセグメントが利用可能となるタイミングに応じて通常帯域幅か拡張周波数帯域幅のいずれか一方を用いるように解釈を適宜変更して動作する。
【０１２８】
以上の説明に基づいて非互換キャリアであるキャリアセグメントを設定する際に必要なパラメータやその無線リソースの割り当て方法を構成することによって、移動局装置１と基地局装置２の間で通信状態の不一致の発生しない無線リソース割り当てを実施することができるため、効率的な無線リソース割り当てを行なうことができる。
【０１２９】
＜第２の実施形態＞
本発明の第２の実施形態について以下に説明する。第１の実施形態では、非互換キャリアの活性化、非活性化および削除によって無線リソース割り当て情報で用いるシステム帯域幅を、通常帯域幅と拡張周波数帯域幅のいずれか一方に切り替えるタイミングはシステムで一意に決まっているとしたため、任意のタイミングでキャリアセグメントを用いたスケジューリングを開始できない。
【０１３０】
そのため、例えば、通常帯域幅と拡張周波数帯域幅の切り替えが瞬時に実施可能な高性能の移動局装置１では、拡張周波数帯域幅が利用可能な状態となっても実際には割り当てが行われない区間が発生し、無線リソースの利用効率が悪くなる可能性があった。そこで、本発明の第２の実施形態は、この切り替えるタイミングを基地局装置２が移動局装置１ごとに個別に指定する無線リソース割り当て方法について示す。
【０１３１】
本実施形態の基地局装置２は、キャリアセグメントが活性化された場合に、当該キャリアセグメントの無線リソースを用いたスケジューリング、すなわち当該キャリアセグメントにおける無線リソース割り当てが有効となるタイミングを、ＲＲＣメッセージ、ＭＡＣ制御要素のいずれかを用いて移動局装置１に通知する。
【０１３２】
ＲＲＣメッセージを用いる場合、基地局装置２は、キャリアセグメントを設定する非互換キャリア追加メッセージに当該キャリアセグメントの無線リソースが有効となるまでの時間情報を設定して移動局装置１へ送信する。そして、移動局装置１は、非互換キャリア追加メッセージで通知された時間情報を適用して、実際に無線リソース割り当て情報で用いるシステム帯域幅を、通常帯域幅と拡張周波数帯域幅のいずれか一方に切り替えるタイミングを判断する。なお、キャリアセグメントの設定を削除する時は、設定時と同じ時間情報を用いるように構成することもできるし、設定時に削除時の時間情報を個別に設定するように構成することもできるし、非互換キャリア削除メッセージに削除時の時間情報を設定するように構成することもできる。
【０１３３】
ＭＡＣ情報要素を用いる場合、基地局装置２は、キャリアセグメントを活性化する活性化コマンドに当該キャリアセグメントの無線リソースが有効となるまでの時間情報を設定して移動局装置１へ送信する。そして、移動局装置１は、活性化コマンドで通知された時間情報を適用して、実際に無線リソース割り当て情報で用いるシステム帯域幅を、通常帯域幅と拡張周波数帯域幅のいずれか一方に切り替えるタイミングを判断する。なお、非活性化時は、時間情報を含めずに活性化時と同じ時間情報を適用するように構成することもできるし、非活性化コマンドに時間情報を含めて明示的に切り替えるタイミングを設定するように構成することもできる。
【０１３４】
基地局装置２は、上述した時間情報を、図８の遅延時間ｎ１（または遅延時間ｎ２）として設定しても、有効となるフレーム番号またはフレーム番号とサブフレーム番号の組み合わせとして設定してもよい。
【０１３５】
以上のように、本実施形態に開示の方法を用いることによって、どのタイミングで非互換キャリアの無線リソース割り当てが有効になるのかが決まっておらず、移動局装置１と基地局装置２との間に通信状態の不一致が生じるために正しく通信を行なえない区間が発生するという問題を解決することができる。すなわち、基地局装置２と移動局装置１は、物理下りリンク制御チャネルＰＤＣＣＨに含まれる無線リソース割り当て情報で用いるシステム帯域幅を、キャリアセグメントが利用可能となる設定されたタイミングに応じて通常帯域幅か拡張周波数帯域幅のいずれか一方を用いるように解釈を適宜変更して動作する。
【０１３６】
以上の説明に基づいて非互換キャリアであるキャリアセグメントを設定する際に必要なパラメータやその無線リソースの割り当て方法を構成することによって、第１の実施形態に加え、任意のタイミングで移動局装置１と基地局装置２との間で状態不一致の発生しない無線リソース割り当てを実施することが可能であるため、効率的な無線リソース割り当てを行なうことができる。
【０１３７】
なお、以上説明した実施形態は単なる例示に過ぎず、様々な変形例、置換例を用いて実現することができる。例えば、本上りリンク送信方式は、ＦＤＤ（周波数分割復信）方式とＴＤＤ（時分割復信）方式のどちらの通信システムに対しても適用可能である。また、キャリアセグメントとエクステンションキャリアの両方を同時に設定するように構成できることは、本実施形態の説明に基づけば自明である。また、例えば物理下りリンク制御チャネルＰＤＣＣＨに１ビットを追加して、スケジューリングされる非互換キャリア（または通常のキャリアと非互換キャリア）の物理下りリンク制御チャネルＰＤＣＣＨの領域に物理下りリンク共用チャネルＰＤＳＣＨが送信されているか否かを示すように無線リソース割り当て方法を拡張してもよい。
【０１３８】
また、説明の便宜上、実施形態の移動局装置１および基地局装置２を機能的なブロック図を用いて説明したが、移動局装置１および基地局装置２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置１や基地局装置２の制御を行なっても良い。なお、ここでいう「コンピュータシステム」とは、ＯＳや周辺機器等のハードウェアを含むものとする。
【０１３９】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１４０】
また、上記各実施形態に用いた移動局装置１および基地局装置２の各機能ブロック、または諸特徴は、典型的にはＩＣ（集積回路）であるＬＳＩを含む回路内で構成されてもよい。その場合、ＬＳＩの集積密度はどのような密度で実現されていても良い。各機能ブロックおよび諸特徴は個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１４１】
以上、この発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【０１４２】
１…移動局装置
２…基地局装置
１１〜１３…送信装置
１０１、２０１…受信部
１０２、２０２…復調部
１０３、２０３…復号部
１０４…測定処理部
１０５、２０４…制御部
１０６…ランダムアクセス制御部
１０７、２０５…符号部
１０８、２０６…変調部
１０９、２０７…送信部
１１０…タイミング管理部
１１１、２０８…上位レイヤ
２０９…ネットワーク信号送受信部
【図１】
2012209649.tif 000003
【図２】
2012209649.tif 000004
【図３】
2012209649.tif 000005
【図４】
2012209649.tif 000006
【図５】
2012209649.tif 000007
【図６】
2012209649.tif 000008
【図７】
2012209649.tif 000009
【図８】
2012209649.tif 000010
【図９】
2012209649.tif 000011
【図１０】
2012209649.tif 000012
【図１１】
2012209649.tif 000013